(57)【要約】【課題】斜め下から見上げたときに外観が良く、また、本体の重量バランスに偏りがある場合でも器具本体をバランス良く水平に設置できるような照明器具を提供する。【解決手段】天井下面１０に設置された引掛シーリング１１に着脱自在に装着される器具本体１と、この器具本体１の下面側に具備される光源２と、この光源２を覆うように上記器具本体１の下面に着脱自在に取り付けられるグローブ３と、上記器具本体１の上面側に設けられた上下動自在の樹脂製容器４と、上記樹脂製容器４内に収納されて器具本体１の上面と天井下面１０に対して相対的に反発力を与える複数のばね５とを有する照明器具とした。【選択図】図１
2005135622.tif 000002
【特許請求の範囲】
【請求項１】
天井下面に設置された引掛シーリングに着脱自在に装着される器具本体と、この器具本体の下面側に具備される光源と、この光源を覆うように上記器具本体の下面に着脱自在に取り付けられるグローブと、上記器具本体の上面側に設けられた上下動自在の樹脂製容器と、上記樹脂製容器内に収納されて器具本体の上面と天井下面に対して相対的に反発力を与える複数のばねとを有することを特徴とする照明器具。
【請求項２】
請求項１において、樹脂製容器は引掛シーリングの外方に位置し、環状に形成したことを特徴とする照明器具。
【発明の詳細な説明】
【技術分野】
【０００１】
本発明は、天井下面に取り付けられる照明器具に関するものである。
【背景技術】
【０００２】
従来、特開２００１−２６６６３５号公報に開示されているように、天井下面に設置された引掛シーリングに着脱自在に装着される器具本体と、この器具本体の下面側に具備される光源と、この光源を覆うように上記器具本体の下面に着脱自在に取り付けられるグローブと、上記器具本体の上面側に設けられ、上記グローブの着脱時に同器具本体のがたつきを緩和する緩衝具として、板ばねのような弾性を有する剛体を備えた照明器具が知られている。
【特許文献１】特開２００１−２６６６３５号公報
【発明の開示】
【発明が解決しようとする課題】
【０００３】
しかしながら、上述の特許文献１のものでは、緩衝具が板ばねのような金属であり、これが露出しているため、器具本体と違和感があり、斜め下から見上げたときの外観が悪い。また、本体の重量バランスに偏りがある場合、上述の特許文献１のものでは、同形状の緩衝具を使用しているため、器具のバランスを崩し、水平に器具が取付けられない。
【０００４】
本発明はこのような点に鑑みてなされたものであり、斜め下から見上げたときに外観が良く、また、本体の重量バランスに偏りがある場合でも器具本体をバランス良く水平に設置できるような照明器具を提供することを課題とする。
【課題を解決するための手段】
【０００５】
本発明の照明器具にあっては、上記の課題を解決するために、図１に示すように、天井下面１０に設置された引掛シーリング１１に着脱自在に装着される器具本体１と、この器具本体１の下面側に具備される光源２と、この光源２を覆うように上記器具本体１の下面に着脱自在に取り付けられるグローブ３と、上記器具本体１の上面側に設けられた上下動自在の樹脂製容器４と、上記樹脂製容器４内に収納されて器具本体１の上面と天井下面１０に対して相対的に反発力を与える複数のばね５とを有することを特徴とするものである。
【発明の効果】
【０００６】
本発明によれば、天井に取り付けられた照明器具を斜め下から見上げたときに板ばねのような金属が露出しないので外観が良く、また、樹脂製容器は器具本体と同色にすることもでき、器具本体としての外観も良くなる。さらに、本体の重量バランスに偏りがある場合でも器具本体をバランス良く水平に設置できる。
【発明を実施するための最良の形態】
【０００７】
図１は本発明の照明器具の断面図である。器具本体１は、下面に光源２を具備しており、例えば、光源２として丸型蛍光ランプを取り付けて使用している。また、この器具本体１は、上記光源２を覆うように、その下面に着脱自在にグローブ３が取り付けられるものである。グローブ３としては、板厚が１〜数ｍｍ程度の乳白色などのポリエチレン樹脂シート材を真空成型加工して、上面開口の略おわん状に形成されているようなものなどが採用される。この器具本体１やグローブ３の形状としては、図示されたような円形状のものであってもかまわないし、その他にも角型形状など様々な形状のものであってもかまわない。なお、器具本体１の上面には、引掛シーリング１１の孔に挿入して回転することで取り付けられるプラグ１２が形成されている。また、適宜の中間アダプタを介して器具本体１の上面を引掛シーリング１１に装着できる構造としても良い。要するに、配線器具である引掛シーリング１１に対して器具本体１の上面が電気的にも機械的にも接続されるような構造となっている。
【０００８】
図２は照明器具の器具本体１の上部に設けられた樹脂製容器４の上面図である。図３は樹脂製容器４を天井下面１０に押し付けた状態を示す断面図である。図４は樹脂製容器４を天井下面に押し付けていない状態を示す断面図である。
【０００９】
樹脂製容器４は、上側樹脂製カバー４１と下側樹脂製カバー４２とを組み合わせたものであり、上側樹脂製カバー４１は下側樹脂製カバー４２に対して上下動自在にスライド可能とされている。
【００１０】
上側樹脂製カバー４１は、ドーナツ型の天板４１ａと、この天板４１ａの外周縁から下方に延びる円筒状の外筒板４１ｂと、天板４１ａの内周縁から下方に延びる円筒状の内筒板４１ｃとを一体成型したものである。天板４１ａの上面には薄いパッキン４３が貼着されている。このパッキン４３は例えば発泡ウレタンのような素材からなり、天井下面１０との摩擦係数を維持するためのものである。なお、器具本体１を引掛けシーリング１１に取付けた時、パッキン４３が薄いため、外観上は殆んど見えない。
【００１１】
下側樹脂製カバー４２は、ドーナツ型の底板４２ａと、この底板４２ａの外周縁から上方に延びる円筒状の外筒板４２ｂと、底板４２ａの内周縁から上方に延びる円筒状の内筒板４２ｃとを一体成型したものであり、底板４２ａの下面は、器具本体１の上面に固着される。固着の手段は接着でも良いし、ねじ止めでも良いし、係合その他の手段でも良い。
【００１２】
上側樹脂製カバー４１と下側樹脂製カバー４２の間には複数のばね５が等間隔で設けられている。このばね５の反発力により、天井下面１０に対して器具本体１を突っ張らせ、器具本体１のがたつき・回転を防止している。これらのばね５を定位置に収納するために、上側樹脂製カバー４１の天板４１ａの下面には下方に延びる収納筒４１ｄが設けられており、下側樹脂製カバー４２の底板４２ａの上面には上方に延びる収納筒４２ｄが設けられている。
【００１３】
ばね５はコイルスプリングであり、軸方向を鉛直方向に向けて樹脂製カバー４１、４２の収納筒４１ｄ、４２ｄの中に収納されている。収納筒の径が大きい方には、ばね５の内径より少し小さい径のリブ４２ｆがある。これは、ばね５が水平方向に移動すると、ばね５が斜めになり、ばね反発力が低下するのを防止するためである。
【００１４】
上側樹脂製カバー４１の内筒板４１ｃの下端と、下側樹脂製カバー４２の内筒板４２ｃの上端には、互いに係止する係止爪４１ｅ、４２ｅが設けられている。これらの係止爪４１ｅ、４２ｅが互いに係止した状態において、図４に示すように、上下の収納筒４１ｄ、４２ｄは互いにオーバーラップする部分（高さｈ）を有している。これにより、天井に取り付ける前においても、ばね５が飛び出さない構造となっている。また、このように、樹脂製カバー４１、４２同士が係止している状態では収納筒４１ｄ、４２ｄ同士がオーバーラップしているので、器具本体１に対して樹脂製カバー４１、４２を回転させようとしても、収納筒４１ｄ、４２ｄ同士が当接し、回転しない構造となっている。したがって、係止爪４１ｅ、４２ｅが外れることはなく、係止爪を全周に設ける必要は無い。
【００１５】
上下の樹脂製カバー４１、４２は上側が大径、下側が小径になっており、引掛シーリング１１の高さ違いにより器具本体１の上面での樹脂製カバー４１の高さが異なっても、人の目線からは上側樹脂製カバー４１の側面しか見えないように樹脂製カバー４１の高さを設定している。図５は本発明の照明器具を通常の引掛シーリング１１に固定した状態を示す断面図であり、図６は本発明の照明器具を通常よりも高さの高い引掛シーリング１１’に固定した状態を示す断面図である。いずれの場合でも、矢印で示すように、下から見上げたときの人の目線からは、上側樹脂製カバー４１の側面しか見えないので、継ぎ目が目立たず、見栄えが良くなる。なお、樹脂製容器４は伸縮自在な容器を用いても良い。
【実施例１】
【００１６】
図７は本発明の実施例１の照明器具の上面図であり、図８はその断面図である。本実施例では、器具本体１の重量バランスに偏りがある場合に、器具本体１の軽量側に相対的に反発力の強いばね５Ａを設けたことを特徴とする。図中、５Ａは反発力の強いばね、５Ｂは反発力の弱いばねである。器具本体１は図８に示すように、右側に点灯回路１２が設けられており、相対的に左側よりも右側が重くなっている。
【００１７】
器具本体１の重量バランスに偏りがある場合、器具本体１の軽量側に相対的に反発力の強いばね５Ａを、重量側に反発力の弱いばね５Ｂを設け、器具本体１を水平に保っている。このようなばね反発力の配置にするのは、ばね力が均等バランスの場合、軽量側は器具本体１が天井側（上側）に傾くため、相対的に反発力の強いばね５Ａを設けることで、天井とは反対側（下側）に押し下げるようにするためである。
【産業上の利用可能性】
【００１８】
本発明は、例えば、一般家庭用の天井取り付け型の照明器具として利用することができる。
【図面の簡単な説明】
【００１９】
【図１】本発明の照明器具を天井下面に装着した状態の断面図である。
【図２】本発明の照明器具の器具本体上部に設けられた樹脂製容器の上面図である。
【図３】本発明の照明器具の器具本体上部に設けられた樹脂製容器を天井下面に押し付けた状態を示す断面図である。
【図４】本発明の照明器具の器具本体上部に設けられた樹脂製容器を天井下面に押し付けていない状態を示す断面図である。
【図５】本発明の照明器具を通常の引掛シーリングに固定した状態を示す断面図である。
【図６】本発明の照明器具を高さが通常よりも高い引掛シーリングに固定した状態を示す断面図である。
【図７】本発明の実施例１の照明器具の上面図である。
【図８】本発明の実施例１の照明器具の断面図である。
【符号の説明】
【００２０】
１    器具本体
２    光源
３    グローブ
４    樹脂製容器
５    ばね
１０  天井下面
１１  引掛シーリング
４１  上側樹脂製カバー
４２  下側樹脂製カバー
４３  パッキン
【図１】
2005135622.tif 000003
【図２】
2005135622.tif 000004
【図３】
2005135622.tif 000005
【図４】
2005135622.tif 000006
【図５】
2005135622.tif 000007
【図６】
2005135622.tif 000008
【図７】
2005135622.tif 000009
【図８】
2005135622.tif 000010